(57)【要約】  【課題】  低コストで簡便な構成により、包装装置の内袋を、被包装物を入れやすい状態に保持することが可能な包装装置を提供する。  【解決手段】  包装装置１は、ケース１０、及び内袋２０を備える。ケース１０の上面には開閉式のフラップ３０が４個備えられ、これらは２組の対向フラップ３１、３２として構成される。１組の対向フラップ３２は平面形状がＬ字型をなし、互い違いに延びてケース１０の上面をカバーする。それらの先端部３２ａは、互いの間に引いた中間ラインＢを超えて相手側の付根ライン３２ｂに接近する。先端部３２ａには、係止部３２ｃを備える。内袋２０はケース１０の内部に配置され、その口縁近傍には対向する位置に開口部２１を備える。この開口部２１にＬ字型対向フラップ３２の先端部３２ａを挿入し、係止部３２ｃの切込みに内袋２０の口縁を引っ掛けて係止することが可能である。【選択図】      図１
2005298050.tif 000002
【特許請求の範囲】
【請求項１】
上面に開閉式の複数のフラップを備えた箱状のケースと、このケース内に配置される内袋とを備える包装装置において、
前記複数のフラップのうち、少なくとも１組の対向フラップに、前記内袋の対向口縁を係止する係止部を設けたことを特徴とする包装装置。
【請求項２】
前記対向フラップは、互い違いに延びて前記ケース上面をカバーするものであり、互いの間に引いた中間ラインを超えて相手側の付根ラインに接近する箇所に、前記係止部を備えることを特徴とする請求項１に記載の包装装置。
【請求項３】
前記係止部は、前記フラップの縁に設けられた切込みで構成されることを特徴とする請求項１または請求項２に記載の包装装置。
【発明の詳細な説明】
【技術分野】
【０００１】
本発明は、被包装物である物品を包装するための包装装置に関する。
【背景技術】
【０００２】
画像形成装置や家庭用電化製品等の物品は、段ボール等で構成される包装装置によって包装されて、出荷されている。この包装装置は、大型の物品に対するものを除いて、物品をケースにすっぽりと収納するタイプの包装装置が多い。
【０００３】
上記ケースは、上面に開閉式の複数のフラップを備えた箱状のものである。被包装物である物品を包装するには、ケースの中に被包装物を収容した後、複数のフラップを閉じることによりケース上面を閉鎖する。この時、被包装物は、防塵や防湿のため、合成樹脂フィルム等で構成される内袋に包まれた状態でケースの中に収容されることが多い。そして、この被包装物の内袋への装入作業は、ほとんどの場合、手作業によって行われる。
【０００４】
被包装物を内袋に入れる際、袋の口縁部分を手で開いておいて被包装物を入れる必要がある。袋を開いた状態に保ちつつ被包装物を入れる時、袋の開き具合が悪かったり、被包装物が袋の口縁に引っ掛かったりする等により、被包装物が入り難くなることがある。また、被包装物が重い場合、被包装物の内袋への装入作業を、複数の作業者によって行わなければならないので、作業効率がたいへん悪くなる。このような問題に対して、包装装置のケースの内袋を、被包装物を入れやすい状態に保持するための様々な手法が提案され、その例を特許文献１に見ることができる。
【特許文献１】特開平１０−８６２４６号公報（第２−４頁、図１）
【発明の開示】
【発明が解決しようとする課題】
【０００５】
特許文献１に記載された内袋嵌込装置は、ホルダーによってフラップを開いた状態で保持するとともに、挟持器によって内袋を開いた状態でその口縁を挟持した袋嵌込器によって上方からケース内に内袋を押し込み、嵌合させるものである。ケース内に内袋を嵌合させた後は、袋嵌込器に設けられた袋口折返片によって、内袋の口縁をフラップの外側へと折り返す。しかしながら、この内袋嵌込装置では、内袋を、被包装物を入れやすい状態に保持するために、大掛かりな装置が必要となるので、大幅なコストアップが生じてしまう。また、内袋の口縁を広げる挟持器や、ケース内に内袋を嵌合させる袋嵌込器は、ケースのサイズが変わる度に製作する必要があり、さらにコストが増加する。そして、装置の定期的なメンテナンスも必要となる。
【０００６】
本発明は上記の点に鑑みなされたものであり、被包装物である物品を包装するための包装装置において、低コストで簡便な構成により、包装装置の内袋を、被包装物を入れやすい状態に保持することが可能な包装装置を提供することを目的とする。
【課題を解決するための手段】
【０００７】
上記の課題を解決するため、本発明は、上面に開閉式の複数のフラップを備えた箱状のケースと、このケース内に配置される内袋とを備える包装装置において、前記複数のフラップのうち、少なくとも１組の対向フラップに、前記内袋の対向口縁を係止する係止部を設けることとした。
【０００８】
また、前記対向フラップは、互い違いに延びて前記ケース上面をカバーするものであり、互いの間に引いた中間ラインを超えて相手側の付根ラインに接近する箇所に、前記係止部を備えることとした。
【０００９】
また、前記係止部は、前記フラップの縁に設けられた切込みで構成されることとした。
【発明の効果】
【００１０】
本発明の構成によれば、上面に開閉式の複数のフラップを備えた箱状のケースと、このケース内に配置される内袋とを備える包装装置において、複数のフラップのうち、少なくとも１組の対向フラップに、内袋の対向口縁を係止する係止部を設けることとしたので、対向フラップに内袋の対向口縁を係止させることにより、容易に内袋の口を開いた状態で保持することができる。これにより、低コストで簡便な構成により、包装装置の内袋を、被包装物を入れやすい状態に保持することが可能となる。したがって、被包装物を両手で持って内袋に入れる場合であっても、他人の手や内袋の口縁を保持する装置等による補助を必要とせず、被包装物を内袋に装入する作業の効率を高めることができる。また、閉じられたフラップを開くだけで自動的に内袋の口を開くことができるので、包装装置の開梱作業の効率も向上する。
【００１１】
また、対向フラップは、互い違いに延びて前記ケース上面をカバーするものであり、互いの間に引いた中間ラインを超えて相手側の付根ラインに接近する箇所に、係止部を備えることとしたので、対向フラップを閉じるとともに、内袋の対向口縁を交差させた状態にして被包装物を封入することができる。これにより、内袋の口の封をする作業を別途行うことなく、自動的に封をすることが可能である。したがって、さらに作業効率が高められるとともに、内袋の封に必要な粘着テープ等が不必要であるので、さらに低コスト化を図ることができる。
【００１２】
また、係止部は、フラップの縁に設けられた切込みで構成されることとしたので、内袋の口縁を容易にフラップに係止させることができる。したがって、このような簡便な構造により、内袋の口縁を開いた状態で保持することができるとともに、閉じられたフラップを開くだけで内袋を開くことが可能である。
【発明を実施するための最良の形態】
【００１３】
以下、本発明の実施形態を図１〜図６に基づき説明する。
【００１４】
最初に、本発明の実施形態に係る包装装置について、図１〜図３を用いてその構造の概略を説明する。図１は包装装置の模型的斜視図にして、フラップを開放した状態を示すもの、図２は同じく模型的斜視図にして、１組の対向フラップを閉じた状態を示すもの、図３は同じく模型的斜視図にして、全てのフラップを閉じた包装完了状態を示すものである。
【００１５】
図１において、包装装置１は、ケース１０、及び内袋２０を備えている。そして、この内袋２０の中に、被包装物１００が封入され、包装される（図６参照）。
【００１６】
ケース１０は段ボールにより構成され、直方体状をなしている。ケース１０の上面には、開閉式のフラップ３０が４個備えられている。４個のフラップ３０は、２組の対向フラップ３１、３２として構成されている。
【００１７】
一方の対向フラップ３１は、平面形状が長方形である。この長方型対向フラップ３１は、各々の付根からの延長長さが互いの間に引いた中間ラインＡに一致し、各々の先端側の端辺が合わさるようにしてケース１０の上面をカバーするものである。４個のフラップ３０を閉じる時には、この長方型対向フラップ３１が、他方の対向フラップ３２の外側になるように閉じ、２個の対向フラップ３１の合わせ目を粘着テープ４０等で貼り合わせる（図３参照）。
【００１８】
もう１組の対向フラップ３２は、平面形状がＬ字型をなしている。このＬ字型対向フラップ３２は、図２に示すように、互い違いに延びてケース１０の上面をカバーするものである。Ｌ字型対向フラップ３２の先端部３２ａは、互いの間に引いた中間ラインＢを超えて相手側の付根ライン３２ｂに接近するように延びている。この先端部３２ａには、係止部３２ｃが備えられている。係止部３２ｃは、先端部３２ａの両側の縁から内側に向かって所定長さで設けられた切込みで構成されている。この係止部３２ｃに、内袋２０が引っ掛けられる。
【００１９】
内袋２０は、ケース１０の内部に配置されている。内袋２０は合成樹脂フィルムにより構成され、上方の１辺のみが開口した長方形状、或いはまちを入れたボックス形状をなしている。内袋２０の大きさは、ケース１０の底部からＬ字型対向フラップ３２の先端部３２ａにかけての範囲を十分にカバーできる大きさである。内袋２０の口縁近傍には、２箇所の円形の開口部２１が設けられている。この２箇所の開口部２１は互いに対向する位置に設けられ、各々のその大きさはＬ字型対向フラップ３２の先端部３２ａが挿入可能な大きさである。そして、図１に示すように、この開口部２１にＬ字型対向フラップ３２の先端部３２ａを挿入し、係止部３２ｃの切込みに内袋２０の口縁を引っ掛けて係止することが可能である。
【００２０】
続いて、包装装置１による被包装物１００の包装方法について、図１〜図３に加えて、図４〜図６を用いて説明する。図４は被包装物を収容した包装装置の模型的垂直断面正面図にして、フラップを開放した状態を示すもの、図５は図４と同様の模型的垂直断面正面図にして、１組の対向フラップを閉じる途中の状態を示すもの、図６は図４と同様の模型的垂直断面正面図にして、１組の対向フラップを閉じた状態を示すものである。
【００２１】
まず、ケース１０に対して、図１に示すように、４個のフラップ３０を四方に広げるようにして開く。そして、ケース１０の内部に内袋２０を配置するとともに、内袋２０の対向口縁である２箇所の開口部２１を、２個のＬ字型対向フラップ３２の各々の係止部３２ｃに引っ掛ける。
【００２２】
次に、図４に示すように、内袋２０の中に被包装物１００を入れる。そして、内袋２０の開口部２１を、Ｌ字型対向フラップ３２の係止部３２ｃに係止させた状態のまま、図５に示すように、Ｌ字型対向フラップ３２を閉じる作業を行う。引き続きＬ字型対向フラップ３２を閉じていくとその最終段階において、包装装置１は図２、及び図６のようになり、内袋２０の口縁が交差した状態でケース１の上面が閉じられる。
【００２３】
その後、２個の長方型対向フラップ３１を閉じ、これらの合わせ目を粘着テープ４０等で貼り合わせることにより、図３に示すような包装完了状態になる。
【００２４】
包装装置１の開梱作業を行う場合には、図３に示す粘着テープ４０を剥がして、長方型対向フラップ３１、Ｌ字型対向フラップ３２の順に開くと、図１のように、自動的に内袋２０の口も開くことができる。
【００２５】
このようにして、上面に開閉式の複数のフラップ３０を備えた箱状のケース１０と、このケース１０内に配置される内袋２０とを備える包装装置１において、複数のフラップ３０のうち、少なくとも１組の対向フラップ３２に、内袋２０の対向口縁を係止する係止部３２ｃを設けたので、対向フラップ３２に内袋２０の対向口縁を係止させることにより、容易に内袋２０の口を開いた状態で保持することができる。これにより、低コストで簡便な構成により、包装装置１の内袋２０を、被包装物１００を入れやすい状態に保持することが可能となる。したがって、被包装物１００を両手で持って内袋２０に入れる場合であっても、他人の手や内袋２０の口縁を保持する装置等による補助を必要とせず、被包装物１００を内袋２０に装入する作業の効率を高めることができる。また、閉じられたフラップ３２を開くだけで自動的に内袋２０の口を開くことができるので、包装装置１の開梱作業の効率も向上する。
【００２６】
また、対向フラップ３２は、互い違いに延びてケース１０上面をカバーするものであり、互いの間に引いた中間ラインＢを超えて相手側の付根ライン３２ｂに接近する箇所に、係止部３２ｃを備えるので、対向フラップ３２を閉じるとともに、内袋２０の対向口縁を交差させた状態にして被包装物１００を封入することができる。これにより、内袋２０の口の封をする作業を別途行うことなく、自動的に封をすることが可能である。したがって、さらに作業効率が高められるとともに、内袋２０の封に必要な粘着テープ４０等が不必要であるので、さらに低コスト化を図ることができる。
【００２７】
また、係止部３２ｃは、フラップ３２の縁に設けられた切込みで構成されることとしたので、内袋２０の口縁を容易にフラップ３２に係止させることができる。したがって、このような簡便な構造により、内袋２０の口縁を開いた状態で保持することができるとともに、閉じられたフラップ３２を開くだけで内袋２０を開くことが可能である。
【００２８】
なお、係止部３２ｃが設けられたＬ字型対向フラップ３２は、平面形状がＬ字型であることに限定されるわけではなく、図２に示すように、互い違いに延びてケース１０の上面をカバーする形状であればどのような形状でも良く、例えば長方形状であっても構わない。
【００２９】
上記のように本発明の実施形態を示したが、この他、発明の主旨を逸脱しない範囲で種々の変更を加えて実施することができる。
【産業上の利用可能性】
【００３０】
本発明は、上面に開閉式の複数のフラップを備えた箱状のケースと、このケース内に配置される内袋とを備える包装装置全般において利用可能である。
【図面の簡単な説明】
【００３１】
【図１】は、本発明の実施形態に係る包装装置の模型的斜視図にして、フラップを開放した状態を示すものである。
【図２】は、図１と同様の模型的斜視図にして、１組の対向フラップを閉じた状態を示すものである。
【図３】は、図１と同様の模型的斜視図にして、全てのフラップを閉じた包装完了状態を示すものである。
【図４】は、被包装物を収容した包装装置の模型的垂直断面正面図にして、フラップを開放した状態を示すものである。
【図５】は、図４と同様の模型的垂直断面正面図にして、１組の対向フラップを閉じる途中の状態を示すものである。
【図６】は、図４と同様の模型的垂直断面正面図にして、１組の対向フラップを閉じた状態を示すものである。
【符号の説明】
【００３２】
１    包装装置
１０  ケース
２０  内袋
２１  開口部
３０  フラップ
３１  長方型対向フラップ
３２  Ｌ字型対向フラップ
３２ａ  先端部
３２ｂ  付根ライン
３２ｃ  係止部
４０  粘着テープ
１００  被包装物
【図１】
2005298050.tif 000003
【図２】
2005298050.tif 000004
【図３】
2005298050.tif 000005
【図４】
2005298050.tif 000006
【図５】
2005298050.tif 000007
【図６】
2005298050.tif 000008